(57)【要約】      （修正有）【課題】フィルタを上下に移動できるように取付けることで、夾雑物を容易且つ確実に取り除くことができ、しかもフィルタに付着しなかった大きめの挟雑物でも取り除くことが可能な夾雑物除去装置およびその装置を不断水工法で据付ける方法を提供する。【解決手段】フィルタエレメント６が下降停止位置では、導入管５０と流入側の流入管１ａとの整合により、流入管１ａから導入された水道水がフィルタエレメント６を通過して流出管１ｂに導出されるので水道水中の夾雑物はフィルタエレメント６により捕獲され、フィルタエレメント６が上昇停止位置では、これがフィルタケース５内に収納されてこの内部がフィルタエレメント６下端の基板４２により密封遮断され、導入水道水が直接他方の流出管１ｂに導出するので水道水の流れに影響されずに夾雑物を取出すことができる。【選択図】  図１
2004286188.tif 000002
【特許請求の範囲】
【請求項１】
流体管の一部に装着されたケース体内に、流体を内側から外側に向けて流通させるようにした上下方向に移動可能な夾雑物除去装置であって、前記夾雑物除去装置は前記ケース体に固定されるフィルタケースと該フィルタケースに対して上下動可能なフィルタエレメントから成り、このフィルタエレメントはその下降停止位置で、流体管の流入側となる流入管とフィルタエレメントに設けた流入口部とが整合し、フィルタエレメントの上昇停止位置ではフィルタケース内に収納されて、流入管から導入される流体はフィルタエレメント側とは密封遮断され、直接流体管の流出側となる流出管に導出することを特徴とする上下方向に移動可能な夾雑物除去装置。
【請求項２】
前記フィルタエレメントの上下動は、該フィルタエレメントを回動不能に支持するフィルタケースと、フィルタエレメントに螺合する外部操作可能なネジスピンドルの回動運動で行われる請求項１に記載の上下方向に移動可能な夾雑物除去装置。
【請求項３】
前記フィルタエレメントの上昇停止位置で、該フィルタエレメントの底部とフィルタケースが密封接合することにより流入管から導入される流体がフィルタエレメント側と密封遮断される請求項１または２に記載の上下方向に移動可能な夾雑物除去装置。
【請求項４】
前記ケース体の上部は、フィルタエレメント清掃用の開閉蓋が設けられているフィルタケースの上面板で密封固定されている請求項１ないし３の何れかに記載の上下方向に移動可能な夾雑物除去装置。
【請求項５】
前記フィルタケースの底面部は、夾雑物を捕獲できる受体で構成されている請求項１ないし４の何れかに記載の上下方向に移動可能な夾雑物除去装置。
【請求項６】
前記フィルタケース内の内圧を除去するための排出管がフィルタケースに接続されている請求項１ないし５の何れかに記載の上下方向に移動可能な夾雑物除去装置。
【請求項７】
前記フィルタケースの内圧とケース本体に囲まれた外圧は同圧管により常に等圧とされている請求項１ないし６の何れかに記載の上下方向に移動可能な夾雑物除去装置。
【請求項８】
既設流体管の外部にインサー本体を密封状態で囲繞固定し、インサー本体内の既設流体管を所定長さに亘って不断水の状態で切断し、該切断部分に上下方向に移動可能な夾雑物除去装置を設置する不断水工法における夾雑物除去装置の据付け方法であって、前記夾雑物除去装置は前記インサー本体に固定されるフィルタケースと該フィルタケースに対して上下動可能なフィルタエレメントから成り、このフィルタエレメントはその下降停止位置で、切断された既設流体管の一方の流入側となる流入管の切断開口部とフィルタエレメントに設けた流入口部と整合させることにより、前記流入管から導入される流体をフィルタエレメントを通過させて切断された既設流体管の他方の流出側となる流出管に導出すると共に、フィルタエレメントの上昇停止位置ではフィルタケース内に収納されて、流入管から導入される流体がフィルタエレメント側と密封遮断され、インサー本体内を経て直接流出管に導出することを特徴とする不断水工法における上下方向に移動可能な夾雑物除去装置の据付け方法。
【発明の詳細な説明】
【０００１】
【発明の属する技術分野】
本発明は、流体管の一部に装着されたケース体内に、流水を内側から外側に向けて流通させるようにした上下方向に移動可能な夾雑物除去装置および不断水工法における該装置の据付け方法に関する。
【０００２】
【従来の技術】
水道本管等の既設流体管を不断水状態で切断し、この切断部分に夾雑物除去装置を挿入して夾雑物除去装置を据付ける方法およびその夾雑物除去装置は、例えば特許文献１に記載されているように既に公知である。そして、この特許文献１に記載のものは、夾雑物除去装置として構成されたフィルタ部材が目詰まりを起こした場合に、フィルタ部材を緩速で回転させながら流入する水圧により、フィルタ部材に付着した夾雑物を吸引管を介して外部に排出するようになっている。
【０００３】
【特許文献１】
特開平１０−２８６４０９号公報（第３−４頁、図１，図８）
【０００４】
【発明が解決しようとする課題】
しかしながら、上記特許文献１に記載のものは、夾雑物を除去する場合に、フィルタ部材を回動駆動しなければならないこと、また、吸引管の吸引口をフィルタ外面に対し適正間隙をもって高精度に位置決め保持しておかないと夾雑物が効率よく吸引できないことがあった。しかもフィルタ部材に付着しなかった大きめの挟雑物は下方に堆積し取り除くことはできなかった。
【０００５】
本発明は、上記課題に鑑みてなされたもので、フィルタ部材を上下に移動できるように取付けることで、夾雑物を容易且つ確実に取り除くことができ、しかもフィルタでは捕捉できない大きな挟雑物でも取り除くことが可能な夾雑物除去装置およびその装置を不断水工法で据付ける方法を提供することを目的としている。
【０００６】
【課題を解決するための手段】
上記課題を達成するために、本発明の夾雑物除去装置は、流体管の一部に装着されたケース体内に、流水を内側から外側に向けて流通させるようにした上下方向に移動可能な夾雑物除去装置であって、前記夾雑物除去装置は前記ケース体に固定されるフィルタケースと該フィルタケースに対して上下動可能なフィルタエレメントから成り、このフィルタエレメントはその下降停止位置で、流体管の流入側となる流入管とフィルタエレメントに設けた流入口部とが整合し、フィルタエレメントの上昇停止位置ではフィルタケース内に収納されて、流入管から導入される流体がフィルタエレメント側と密封遮断され、直接流体管の流出側となる流出管に導出することを特徴としている。
この特徴によれば、フィルタエレメントはその下降停止位置で、流入管とフィルタエレメントに設けた流入口部とが整合して夾雑物がフィルタエレメント内に捕捉され、フィルタエレメントの上昇停止位置でフィルタエレメント内の夾雑物を流体の流れに左右されずに取り除くことができる。
【０００７】
本発明の上下方向に移動可能な夾雑物除去装置において、前記フィルタエレメントの上下動は、該フィルタエレメントを回動不能に支持するフィルタケースと、フィルタエレメントに螺合する外部操作可能なネジスピンドルの回動運動で行われることが好ましい。
このようにすれば、フィルタエレメントの下降及び上昇停止位置を外からネジスピンドルを回動させるだけで容易に変えることができる。
【０００８】
本発明の上下方向に移動可能な夾雑物除去装置において、前記フィルタエレメントの上昇停止位置で、該フィルタエレメントの底部とフィルタケースが密封接合することにより流入管から導入される流体がフィルタエレメント側と密封遮断されることが好ましい。
このようにすれば、フィルタエレメントの上昇停止位置では流体管内の流れが夾雑物除去装置側に流れ込まないので、流体管の流れに何ら影響されずに、夾雑物を取り除くことができる。
【０００９】
本発明の上下方向に移動可能な夾雑物除去装置において、前記ケース体の上部は、フィルタエレメント清掃用の開閉蓋が設けられているフィルタケースの上面板で密封固定されていることが好ましい。
このようにすれば、フィルタケースの上面板に設けたフィルタエレメント清掃用の開閉蓋を開けることで容易にフィルタエレメント内の夾雑物を取り除くことができる。
【００１０】
本発明の上下方向に移動可能な夾雑物除去装置において、前記フィルタケースの底面部は、夾雑物を捕獲できる受体で構成されていることが好ましい。
このようにすれば、フィルタエレメントで捕捉できなかった夾雑物を受体内に堆積保持しておける。
【００１１】
本発明の上下方向に移動可能な夾雑物除去装置において、前記フィルタケース内の内圧を除去するための排出管がフィルタケースに接続されていることが好ましい。
このようにすれば、前記フィルタエレメントの上昇停止位置で、排出管を開放してフィルタケースの内圧を下げれば、フィルタエレメントからの夾雑物の除去作業がし易い。
【００１２】
本発明の上下方向に移動可能な夾雑物除去装置において、前記フィルタケースの内圧とケース本体に囲まれた外圧は同圧管により常に等圧とされていることが好ましい。
このようにすれば、フィルタケースの内外面に常に均等圧が掛かっているので、フィルタケースが差圧で変形するようなことはない。
【００１３】
上記課題を達成するために、本発明の不断水工法における上下方向に移動可能な夾雑物除去装置の据付け方法は、既設流体管の外部にインサー本体を密封状態で囲繞固定し、インサー本体内の既設流体管を所定長さに亘って不断水の状態で切断し、該切断部分に上下方向に移動可能な夾雑物除去装置を設置する不断水工法における夾雑物除去装置の据付け方法であって、前記夾雑物除去装置は前記インサー本体に固定されるフィルタケースと該フィルタケースに対して上下動可能なフィルタエレメントから成り、このフィルタエレメントはその下降停止位置で、切断された既設流体管の一方の流入側となる流入管の切断開口部とフィルタエレメントに設けた流入口部と整合させることにより、前記流入管から導入される流体をフィルタエレメントを通過させて切断された既設流体管の他方の流出側となる流出管に導出すると共に、フィルタエレメントの上昇停止位置ではフィルタケース内に収納されて、流入管から導入される流体がフィルタエレメント側と密封遮断され、インサー本体内を経て直接流出管に導出することを特徴としている。
この特徴によれば、切断時に使用したインサー本体がフィルタケースの支持体として利用でき、かつフィルタエレメントがフィルタケース内で上下方向に移動でき、特に、フィルタエレメントの上昇停止位置にあるときは、既設流体管の流れに影響されずに、夾雑物を容易に取り除くことができるように夾雑物除去装置が据付けられている。
【００１４】
【発明の実施の形態】
以下、本発明の実施例を図面に基づいて説明する。
【００１５】
図１〜図４は、本発明の一実施形態を示すもので、図１（ａ）は既設流体管の切断部分に設置された夾雑物除去装置の断面図、（ｂ）は（ａ）のＸ部拡大図、図２は図１のＡ−Ａ断面図、図３は夾雑物除去装置の一部半断面を示す側面図であり、図４は夾雑物除去装置の平面図である。
【００１６】
最初に夾雑物除去装置に付き説明する。図１〜図４に示す符号１は既設流体管を示し、既設流体管１（以下水道本管と称する）の不断水の状態で所定長さに亘って切断された所定箇所には水道本管１内を流れる水道水中の夾雑物を除去するための夾雑物除去装置２が設置されている。
【００１７】
この夾雑物除去装置２は、水道本管１を切断した一方の流入側となる流入管１ａと他方の流出側となる流出管１ｂの間に設けられるものであって、インサー本体４に固定される円筒状のフィルタケース５とこのフィルタケース５に対して上下動可能なフィルタエレメント６から構成されている。ここでインサー本体とは切断時に使用する密封ケーシングであって、断水して流体管に夾雑物除去装置を取付ける場合は、インサー本体に代えて固定のケース体を用いる。
【００１８】
インサー本体４は、図１（ａ）に示すように上端が開口する有底の縦長円筒状に形成されて、その下方部位から上下に上部インサー４ａと下部インサー４ｂに分割されており、上部インサー４ａと下部インサー４ｂの接合部位Ｔにおける対向する両側面には、上下に半分割された所定長さの半割り筒体８ａ，８ｂないし１０ａ，１０ｂが左右に突設している。
【００１９】
図１（ａ）では、上部インサー４ａと下部インサー４ｂが接合されて一体化されたインサー本体４が示されており、この状態では両側面から左右に突設した半割り筒体８ａ，８ｂ及び１０ａ，１０ｂが接合部位Ｔで液密に接合され、内径が水道本管１の外径より若干大径の円筒状の保持筒８，１０として構成されている。
【００２０】
両保持筒８，１０の先端には、これら保持筒８，１０内に挿入された両流入出管１ａ及び１ｂの外周を液密にシール状態で保持するフランジ１２ｂ，１４ｂが固設されており、これらフランジ１２ｂ，１４ｂは、この外側に隣接して両流入出管１ａ及び１ｂの外周に挿嵌された押輪１２ａ，１４ａによる軸方向の押圧力によりパッキンが押圧されて両流入出管１ａ及び１ｂの外周が液密にシールされている。
【００２１】
下部インサー４ｂにおける底板１５の内部周縁にはフィルタエレメント６下端の基板４２の外周を芯出しするために内周に上方が拡開するテ−パを形成したガイドリング１６が取付けられている。
【００２２】
更に、下部インサー４ｂ底板１５の下面中央には、仕切弁を備えた排水管５４が接続されており、夾雑物除去装置２の補修などのメンテナンスを行う際に、下部インサー４ｂ底板１５の水道水を適宜排出することができるようになっている。
【００２３】
また、上部インサー４ａ下方における半割り筒体８ａ，１０ａの直上内周面には、フィルタケース５の下端をほぼ液密状に支持する支持リング１８が固設されると共に開口上部外周にはフランジ２０が取付けられている。
【００２４】
そして、支持リング１８の若干上方には上部インサー４ａ外周の４箇所に、フィルタケース５の外周を均等に押圧して芯出し、固定する押圧ネジ部２２（図２参照）が等配されている。
【００２５】
上部インサー４ａの内部には、上端開口部が上面板２３にて閉塞されたフィルタケース５が収容されており、このフィルタケース５は、上部インサー４ａ内周の下方位置に固設された支持リング１８に下端周縁の段付き部を支持すると共に、フィルタケース５上端周縁の段付き部上面に環状支持板２４を当接させた状態で、ボルトを介してフランジ２０に締着することでフィルタケース５の上下端部が挟持されている。
【００２６】
図３に示すように、上部インサー４ａの上端開口部を閉塞する上面板２３には、その中心を挟んで両側にフィルタエレメント６内部清掃用の一対の掃除口２３ａ，２３ｂが形成されており、これら掃除口２３ａ，２３ｂは開閉蓋５２で閉塞されている。
【００２７】
上部インサー４ａの内周にはフィルタケース５外周との間で若干の密封された環状空間が形成されており、この環状空間とフィルタケース５の内部は、フィルタケース５の上面板２３所定位置に配設された継手を介して両端に開閉弁を設けた同圧管２５により連通接続されて、環状空間とフィルタケース５の内圧が等圧になるようバランスを保っている。
【００２８】
更に、上面板２３の所定位置にはフィルタケース５の内圧の上昇で作動する圧抜きボール弁を備えた排出管２６が接続されると共に、上面板２３の中央にはフィルタエレメント６を上下動するネジスピンドル２８が挿通保持されており、上面板２３を貫通したネジスピンドル２８の上端にはハンドル等が装着可能な断面角形の回動操作部２８ａが設けられている。
【００２９】
そして、フィルタケース５の下方内周面には、詳細は後述するがフィルタエレメント６の上下動時にこのフィルタエレメント６外周の両側面に配設された一対のガイド片３６に係合して回転不能に案内する一対のガイド部材３８が対応してフィルタケース５の内周面に上下に向けて取付けられている。
【００３０】
また、フィルタケース５上面板２３裏面の中央には、ネジスピンドル２８の外周を全長に亘って密閉囲繞する中空管３０が固設されており、中空管３０の下端は図１（ｂ）に示すように、フィルタエレメント６の円板状の上板３２中央に挿嵌されている。
【００３１】
次に、フィルタエレメント６の上板３２は、外周にパッキンとなるＯリング４４が装着された基板４２の上面周囲に均等立設した４本の支柱４５（図１ａにおいて２本のみ図示）により所定高さに水平に支持され、フィルタエレメント６の上板３２および基板４２間の４本の支柱４５外周には、ステンレススチール製の金網４６（例えば５０メッシュ）が貼着されて、基板４２上面部は夾雑物を捕獲堆積するための受体４７が構成されている。
【００３２】
更に、基板４２の上面中央には、図１（ｂ）に示すように、小径筒体４８が、上板３２上面までの高さを有し且つその上端が中空管３０の内部に摺動可能に挿嵌された状態で垂直に支持されて、小径筒体４８の上端開口内周に設けられた雌ネジにネジスピンドル２８の下端が螺通している。
【００３３】
このような構成の基に、ネジスピンドル２８を正逆回動操作すれば、フィルタエレメント６はその回動がガイド部材３８により阻止されているので、上下動できるようになっている。そして、フィルタエレメント６が上下動の際は、図１（ａ）に示すようにフィルタケース５から内方の突出した振れ止め駒４０（周方向に３箇所配置してある）により振れが抑えられて滑らかな移動が達成される。
【００３４】
フィルタケース５の内周面に配設されたガイド部材３８と係合するガイド片３６によって回動不能に支持されているフィルタエレメント６外側面の金網４５には、流入側となる流入管１ａの切断開口部と整合すべく端部形状をなした流入口部となる導入管５０が突設している。
【００３５】
そして、フィルタエレメント６の円板状上板３２には中心軸線を挟んだ両側には２つの清掃用の開口３４ａ，３４ｂが、フィルタケース５上面板２３の掃除口２３ａ，２３ｂと対応する位置関係になるよう配設されており、これら開口３４ａ，３４ｂは、図示しないコイルバネを介して所定圧により上部に付勢される開閉蓋３５により密閉されている。
【００３６】
次に、本発明の夾雑物除去装置の据付け方法の一実施形態に付き、図５〜図１３を参照して以下に説明する。
【００３７】
図５は既設の水道管の外部にインサー本体を取付けた状態を示す説明図、図６はインサー本体内部で既設の水道管が不断水下で切断された状態を示す説明図、図７はインサー本体内上部のフィルタケース内部にフィルタエレメントが挿入された状態を示す説明図、図８は挿入されたフィルタエレメントがインサー本体内下方に移動する状態を示す説明図、図９はフィルタエレメントがインサー本体内の下方にセットされた状態を示す説明図、図１０は流入管を介して流入した夾雑物をフィルタエレメントにより捕獲する状態を示す説明図、図１１は夾雑物を捕獲したフィタエレメントを上昇させる状態を示す説明図、図１２は上昇停止位置まで上昇させたフィタエレメント内部から夾雑物を取出す状態を示す説明図であり、図１３は清掃後のフィタエレメントを下降させて所定の位置にセットする状態を示す説明図である。
【００３８】
先ず、図５及び図６に示すように、矢印方向に水道水を供給する既設の水道本管１の所定位置の外部にインサー本体４を上下に二分割した上部インサー４ａと下部インサー４ｂを接合して密封状態に囲繞し、この状態でインサー本体４に図示しない不断水切断装置を作業弁を介して取付けて、水道管１を所定長さに亘って不断水の状態で切断する。
【００３９】
次に、図７に示すように、水道管１の切断後に不断水切断装置をインサー本体４から取外した後、フィルタケース５内にフィルタエレメント６を収納した状態で、フィルタケース５を支持リング１８と環状支持板２４によってを保持し、フィルタケース５上面板２３と上部インサー４ａの側面に同圧管２５を連通接続する。
【００４０】
フィルタエレメント６が上昇停止位置に保持された状態では、フィルタケース５の内部は、フィルタエレメント６の基板４２のＯリング４４によってシールされているので、流入側の流入管１ａからフィルタエレメント６への水道水の侵入は密封阻止されている。
【００４１】
次に、図８、図９に示すように、ネジスピンドル２８上端の回動操作部２８ａを所定方向に回動させることで、フィルタエレメント６を上昇停止位置から下降させて、基板４２の下面を下部インサー４ｂにおける底板１５上の下降停止位置まで移動させる。
【００４２】
フィルタエレメント６が下降停止位置に移動する際は、フィルタエレメント６上部外周の一対のガイド片３６がガイド部材３８に回動不能に案内されて、底板１５直前ではフィルタエレメント６下端の基板４２外周が下部インサー４ｂ底板１５のガイドリング１６内周に形成されたテ−パによって芯出しされ、同時にガイドリング１６の内周はＯリング４４によってシールされる。
【００４３】
そして、フィルタエレメント６が下部インサー４ｂ底板１５まで移動した際には、フィルタエレメント６の導入管５０が流入側となる流入管１ａの切断開口部と整合する。
【００４４】
次いで、図１０に示すように、流入側となる流入管１ａの水道水は、導入管５０を介してフィルタエレメント６内に導入されると同時に、フィルタエレメント６側面全周に貼着された金網４６を通過して下部インサー４ｂ内部に流出すると共に流出側となる流出管１ｂに導出される。
【００４５】
そこで、フィルタエレメント６内に水道水と共に導入された水道水中に浮遊する夾雑物は、金網４６にて捕獲され、比重の重いものはフィルタエレメント６下端の基板４２上に形成した受体４７に沈澱し堆積する。上記の夾雑物としては、水道本管１の穿孔または切断工程中に生じた金属紛や、内張ライニング、金属部に生じた錆、または水あか、土砂などが含まれる。
【００４６】
次に、フィルタエレメント６が所定期間使用されると、フィルタエレメント６は捕獲された夾雑物を取出すために図１１ないし図１２に示すように上方に引き上げられる。
【００４７】
即ち、回動操作部２８ａの回動操作によりネジスピンドル２８を所定方向に回動させてフィルタエレメント６を上方のフィルタケース５内部に移動させる。そして、    図１２に示されるように、フィルタエレメント６が上昇停止位置まで引き上げられると、フィルタエレメント６下端の基板４２のＯリング４４によってフィルタケース５の開口端内周縁が密封接合されるので、流入側の流入管１ａから導入された水道水がフィルタエレメント側と密封遮断される。
【００４８】
その後、圧抜きボール弁を備えた排出管２６を開放してフィルタケース５内の圧を低減し、一対の開閉蓋５２を取外して掃除口２３ａ，２３ｂを開放して夾雑物の取出しを行う。
【００４９】
そして、掃除口２３ａ，２３ｂを開放後、図示しない吸引ノズルを掃除口２３ａ，２３ｂより挿入して、掃除口２３ａ，２３ｂの直下に対応して位置決めされている開閉蓋３５をコイルバネの付勢力に抗して開放することで、フィルタエレメント６内部に捕獲されている夾雑物は吸引ノズルにより吸引回収され、内部の清掃を行うことができる。
【００５０】
次に、清浄化されたフィルタエレメント６は、同圧管２５の両端の開閉弁を開け同圧をとった後、図１３に示すように回動操作部２８ａによる回動操作により、再び下降停止位置まで移動して導入管５０と流入管１ａの切断開口部を整合させることで夾雑物除去装置の据付け作業が完了する。
【００５１】
従って、本発明の夾雑物除去装置によれば、夾雑物除去装置２を構成するフィルタエレメント６が下降停止位置にある時は、一方の流入側となる流入管１ａの切断開口部に導入管５０を整合させることにより、一方の流入管１ａから導入される水道水はフィルタエレメント６を通過して他方の流出管１ｂに導出される。
【００５２】
また、フィルタエレメント６が上昇停止位置にある時は、このフィルタエレメント６がフィルタケース５内に収納される際、このフィルタケース５内がフィルタエレメント６下端の基板４２外周に装着されたＯリング４４により密封遮断されて、導入された水道水がインサー本体４内を経て直接他方の流出管１ｂに導出されるので、フィルタエレメント６の清掃時やメンテナンスを行う際に水道水の流れに影響されずに、夾雑物を取出すことができる。
【００５３】
また、フィルタエレメント６の上下動が、外部操作可能なネジスピンドル２８の回動運動で行われるようになっているので、外部からネジスピンドル２８を回動させるだけでフィルタエレメント６の下降及び上昇停止位置を容易に変更することができる。
【００５４】
そして、夾雑物除去装置２をインサー本体４に固定する際に、インサー本体４の上部開口がフィルタケース５上端の上面板２３で密封固定され、この上面板２３には、フィルタエレメント６の円板状上板３２の開口３４ａ，３４ｂに対応するように開閉蓋５２で閉塞される掃除口２３ａ，２３ｂが設けられているので、フィルタエレメント清掃用の開閉蓋５２を開けるだけで容易にフィルタエレメント６内の夾雑物を取り除くことができる。
【００５５】
そしてまた、フィルタエレメント６は、夾雑物を捕獲できる金網４６により構成され、その底面部は夾雑物を捕獲できる受体４７で構成されているので、フィルタエレメント６の金網４６等から落下した夾雑物を受体４７内に堆積保持しておける。
【００５６】
更に、フィルタケース５の上面板２３には、フィルタケース５の内圧を低下させる圧抜きボール弁を備えた排出管２６が接続されているので、フィルタエレメント６の上昇停止位置でボール弁を開放してフィルタケース５の内圧を低下させることで、開閉蓋５２を開放した際に内部の水道水が噴き出すことがなく、フィルタエレメント６から夾雑物を除去する際の作業性が向上する。
【００５７】
また、フィルタケース５の内圧とインサー本体４に囲まれた環状空間による外圧は、同圧管２５により常に等圧になるようバランスを保っているので、フィルタケース５の内外面には常に均等圧が作用するため、フィルタケース５が差圧で変形するようなことはない。
【００５８】
以上、本発明の実施形態を図面により説明してきたが、具体的な構成はこれら実施例に限られるものではない。即ち、本実施例では既設流体管（水道管）に不断水工法で夾雑物除去装置を据付ける方法に関して説明してきたが、流体管に予め夾雑物除去装置を取り付けて、清掃が容易な夾雑物除去装置として使用することも可能である。この場合、不断水工法で用いたインサー本体は、夾雑物除去装置を支持固定できるケース体として構成すればよい。
【００５９】
【発明の効果】
本発明によれば、次のような効果が得られる。
【００６０】
（ａ）請求項１に記載の発明によれば、フィルタエレメントはその下降停止位置で、流入管とフィルタエレメントに設けた流入口部とが整合して夾雑物がフィルタエレメント内に捕捉され、フィルタエレメントの上昇停止位置でフィルタエレメント内の夾雑物を流体の流れに左右されずに取り除くことができる。
【００６１】
（ｂ）請求項２に記載の発明によれば、フィルタエレメントの下降及び上昇停止位置を外からネジスピンドルを回動させるだけで容易に変えることができる。
【００６２】
（ｃ）請求項３に記載の発明によれば、フィルタエレメントの上昇停止位置では流体管内の流れが夾雑物除去装置側に流れ込まないので、流体管の流れに何ら影響されずに、夾雑物を取り除くことができる。
【００６３】
（ｄ）請求項４に記載の発明によれば、フィルタケースの上面板に設けたフィルタエレメント清掃用の開閉蓋を開けることで容易にフィルタエレメント内の夾雑物を取り除くことができる。
【００６４】
（ｅ）請求項５に記載の発明によれば、フィルタエレメントで捕捉できなかった夾雑物を受体内に堆積保持しておける。
【００６５】
（ｆ）請求項６に記載の発明によれば、前記フィルタエレメントの上昇停止位置で、排出管を開放してフィルタケースの内圧を下げれば、フィルタエレメントからの夾雑物の除去作業がし易い。
【００６６】
（ｇ）請求項７に記載の発明によれば、フィルタケースの内外面に常に均等圧が掛かっているので、フィルタケースが差圧で変形するようなことはない。
【００６７】
（ｈ）請求項８に記載の発明によれば、フィルタケースの内外面に常に均等圧が切断時に使用したインサー本体がフィルタケースの支持体として利用でき、かつフィルタエレメントがフィルタケース内で上下方向に移動でき、特に、フィルタエレメントの上昇停止位置にあるときは、既設流体管の流れに影響されずに、夾雑物を容易に取り除くことができるように夾雑物除去装置が据付けられている。
【図面の簡単な説明】
【図１】本発明に係り、（ａ）は既設流体管の切断部分に設置された夾雑物除去装置の断面図、（ｂ）は（ａ）のＸ部拡大図である。
【図２】図１のＡ−Ａ断面図である。
【図３】夾雑物除去装置の一部半断面を示す側面図である。
【図４】夾雑物除去装置の平面図である。
【図５】既設の水道管の外部にインサー本体を取付けた状態を示す説明図である。
【図６】インサー本体内部で既設の水道管が不断水下で切断された状態を示す説明図である。
【図７】インサー本体内上部のフィルタケース内部にフィルタエレメントが挿入された状態を示す説明図である。
【図８】挿入されたフィルタエレメントがインサー本体内下方に移動する状態を示す説明図である。
【図９】フィルタエレメントがインサー本体内の下方にセットされた状態を示す説明図である。
【図１０】流入管を介して流入した夾雑物をフィルタエレメントにより捕獲する状態を示す説明図である。
【図１１】夾雑物を捕獲したフィタエレメントを上昇させる状態を示す説明図である。
【図１２】上昇停止位置まで上昇させたフィタエレメント内部から夾雑物を取出す状態を示す説明図である。
【図１３】清掃後のフィタエレメントを下降させて所定の位置にセットする状態を示す説明図である。
【符号の説明】
１                  水道本管（既設流体管）
１ａ                流入管
１ｂ                流出管
２                  夾雑物除去装置
４                  インサー本体（ケース体）
４ａ                上部インサー
４ｂ                下部インサー
５                  フィルタケース
６                  フィルタエレメント
８，１０            保持筒
８ａ，８ｂ          半割り筒体
１０ａ，１０ｂ      半割り筒体
１２ａ，１４ａ      押輪
１２ｂ，１４ｂ      フランジ
１５                底板
１６                ガイドリング
１８                支持リング
２０                フランジ
２２                押圧ネジ部
２３                上面板
２３ａ，２３ｂ      掃除口
２４                環状支持板
２５                同圧管
２６                排出管
２８                ネジスピンドル
２８ａ              回動操作部
３０                中空管
３２                上板
３４ａ，３４ｂ      開口
３５                開閉蓋
３６                ガイド片
３８                ガイド部材
４０                振れ止め駒
４２                基板
４４                Ｏリング
４５                支柱
４６                金網
４７                受体
４８                小径筒体
５０                導入管
５２                開閉蓋
５４                排水管
Ｔ                  接合部位
【図１】
2004286188.tif 000003
【図２】
2004286188.tif 000004
【図３】
2004286188.tif 000005
【図４】
2004286188.tif 000006
【図５】
2004286188.tif 000007
【図６】
2004286188.tif 000008
【図７】
2004286188.tif 000009
【図８】
2004286188.tif 000010
【図９】
2004286188.tif 000011
【図１０】
2004286188.tif 000012
【図１１】
2004286188.tif 000013
【図１２】
2004286188.tif 000014
【図１３】
2004286188.tif 000015